(57)【要約】【課題】空気中の異物の吸引を抑制する鼻栓に関し、鼻から取り外す際に一部が鼻腔内に残ってしまうおそれがなく、使い勝手に優れる鼻栓を提案する。【解決手段】本発明の鼻栓は、左右の鼻腔内に挿入される一対の挿入部２を有し、この一対の挿入部２を、連結部３を介して一体連結させており、挿入部２は、ドーム状となる本体部２ａと本体部２ａの端縁に設けたフランジ部２ｂとからなるフィルターシートであり、連結部３は、フランジ部２ｂと係合して挿入部２を抜け出し不能に保持する保持部３ｃを備えることを特徴とする。【選択図】図１
2012179121.tif 000002
【特許請求の範囲】
【請求項１】
左右の鼻腔内に挿入される一対の挿入部を有し、該一対の挿入部を連結部を介して一体連結させた鼻栓であって、
前記挿入部は、ドーム状となる本体部と該本体部の端縁に設けたフランジ部とからなるフィルターシートであり、
前記連結部は、該フランジ部と係合して該挿入部を抜け出し不能に保持する保持部を備えることを特徴とする鼻栓。
【請求項２】
前記フランジ部と保持部との係合は、インサート成形によるものである請求項１に記載の鼻栓。
【請求項３】
前記本体部の内側空間に、空気中の異物の通り抜けを妨げるフィルター部材を設けた請求項１又は２に記載の鼻栓。
【請求項４】
前記連結部は、前記各保持部にそれぞれつながる一対の棒状体と、左右の鼻腔の外側にて各棒状体を差し渡すブリッジとからなる、請求項１〜３の何れかに記載の鼻栓。
【発明の詳細な説明】
【技術分野】
【０００１】
本発明は、鼻腔内に挿入されて、空気中に浮遊する埃や塵、花粉等の吸入を抑制する鼻栓に関するものである。
【背景技術】
【０００２】
空気中に浮遊する、例えば埃や塵、花粉等の異物は、鼻から吸引されてその内側の粘膜に接触すると、くしゃみや鼻水等の症状を引き起こす場合がある。このような症状の予防や軽減を目的とするものとしては、例えば特許文献１に示すような、鼻に保持するための保持部材を有し、その保持部材の一端部にフィルター部材を係止させた鼻栓が知られている。この鼻栓によれば、フィルター部材を鼻腔内に挿入することで、空気中の異物の吸引を抑制することが期待できる。
【０００３】
ところで上記の鼻栓は、保持部材の一端部をＴ字状とし、さらにその表面に凸部を設けることで、フィルター部材が保持部材から外れてしまうことを防止しようとしている。しかしながら、保持部材の引き抜き加減によっては、フィルター部材を鼻腔内に残したまま外れてしまうことがあり、使い勝手の点で未だ改善の余地が残されていた。
【先行技術文献】
【特許文献】
【０００４】
【特許文献１】登録実用新案第３０５２４５７号公報
【発明の概要】
【発明が解決しようとする課題】
【０００５】
本発明の課題は、空気中に浮遊する埃や塵、花粉等の異物の吸入を抑制する鼻栓に関し、その鼻栓を鼻から取り外す際に、鼻栓の一部が鼻腔内に残ってしまうおそれがなく、使い勝手に優れる新規な鼻栓を提案するところにある。
【課題を解決するための手段】
【０００６】
本発明は、左右の鼻腔内に挿入される一対の挿入部を有し、該一対の挿入部を連結部を介して一体連結させた鼻栓であって、
前記挿入部は、ドーム状となる本体部と該本体部の端縁に設けたフランジ部とからなるフィルターシートであり、
前記連結部は、該フランジ部と係合して該挿入部を抜け出し不能に保持する保持部を備えることを特徴とする鼻栓である。
【０００７】
前記フランジ部と保持部との係合は、インサート成形によるものであることが好ましい。
【０００８】
前記本体部の内側空間に、空気中の異物の通り抜けを妨げるフィルター部材を設けることが望ましい。
【０００９】
前記連結部は、前記各保持部にそれぞれつながる一対の棒状体と、左右の鼻腔の外側にて各棒状体を差し渡すブリッジとからなることが望ましい。
【発明の効果】
【００１０】
本発明に係る鼻栓は、左右の鼻腔内に挿入される一対の挿入部を、連結部を介して一体連結させるとともに、挿入部を、ドーム状の本体部とその端縁に設けたフランジ部とからなるフィルターシートで形成し、連結部に、フランジ部と係合して挿入部を抜け出し不能に保持する保持部を設けているので、鼻腔内から鼻栓を取り出す際に、挿入部が連結部から不用意に外れてしまうことがない。
【００１１】
フランジ部を、インサート成形によって保持部と係合させる場合は、連結部を形成する際に挿入部と一体連結するので、両者の連結に係る手間が省ける上、連結強度がより一層強固となる。
【００１２】
本体部の内側空間に、空気中の異物の通り抜けを妨げるフィルター部材を設ける場合は、吸引する際の異物の捕集効果をより一層高めることができる。しかも、挿入部のドーム形状がフィルター部材によって弾性をもって維持されるので、鼻腔内に安定して保持することができる。
【００１３】
連結部を、各保持部にそれぞれつながる一対の棒状体と、左右の鼻腔の外側にて各棒状体を差し渡すブリッジとからなるものとする場合は、外部から直接見える部分がブリッジだけとなるので、鼻腔内に装着している状態でも鼻栓が目立ちにくくなる。
【図面の簡単な説明】
【００１４】
【図１】本発明に従う鼻栓の実施の形態を示す斜視図である。
【図２】図１に示すＡ−Ａに沿う断面図である。
【図３】本発明に従う鼻栓の他の実施の形態を示す、図１のＡ−Ａに準じた断面図である。
【図４】図１に示す鼻栓の使用状態を示す略線断面図である。
【発明を実施するための形態】
【００１５】
以下、図面を参照して、本発明をより具体的に説明する。
図１は、本発明に従う鼻栓の実施の形態を示す斜視図であり、図２は、図１に示すＡ−Ａに沿う断面図であり、図３は、本発明に従う鼻栓の他の実施の形態を示す、図１のＡ−Ａに準じた断面図であり、図４は、図１に示す鼻栓の使用状態を示す略線断面図である。
【００１６】
図１において、１は本発明に従う鼻栓の一実施例である。鼻栓１は、左右の鼻腔内に挿入される一対の挿入部２と、これらの挿入部２を相互に一体連結する連結部３とを備えている。
【００１７】
挿入部２は、薄肉状のフィルターシートで形成されている。フィルターシートとは、その表裏間を空気が通過する際に、埃や塵、花粉等の異物を捕集できるものであり、このようなものとしては、例えば細い繊維を絡み合わせてシート状にした不織布が挙げられる。図１、図２に示すように挿入部２は、内側空間Ｍを有するドーム状の本体部２ａと、この本体部２ａの端縁に設けられるフランジ部２ｂとからなる。
【００１８】
連結部３は、合成樹脂にて形成されている。図１〜図２に示すように連結部３は、フランジ部２ｂと係合する、後述する保持部に連結する一対の棒状体３ａと、各棒状体３ａを、それらの他端側で差し渡して連結させたブリッジ３ｂとから形成されていて、全体としてＵ字状となっている。また図示のように棒状体３ａ及びブリッジ３ｂは、挿入部２に対して十分に細くなっている。
【００１９】
さらに連結部３は、挿入部２のフランジ部２ｂと係合する保持部３ｃを備えている。図示の例で保持部３ｃは、本体部２ａの根元壁部２ａ１からフランジ部２ｂの外周壁まで覆っていて、挿入部２を抜け出し不能に保持している。挿入部２と連結部３とは、接着剤によって結合させてもよいが、インサート成型によれば、両者を接着する手間が省ける上、より強固に結合させることができる。なお、図示の例では挿入部２の全周に亘って保持部３ｃを設けているが、棒状体３ａと連結していれば途中で分断していても良い。
【００２０】
また、図３に示すように挿入部２は、本体部２ａの内側空間Ｍにフィルター部材２ｃを設けても良い。ここでフィルター部材２ｃとは、その内部を空気が通過する際に、埃や塵、花粉等の異物を捕集できる上、ある程度の弾性を有するものであり、このようなものとしては、内部に複数の孔が形成されている、例えばスポンジ等の多孔質体が挙げられる。
【００２１】
上記のような構成となる鼻栓１を使用するに当たっては、図４に示すように各挿入部２を左右の鼻腔内に挿入する。鼻栓１は、本体部２ａや保持部３ｃが鼻腔に接触することにより、またＵ字状の連結部３が挿入時にわずかに広げられることによる挟持力により、鼻腔内に保持される。そして使用者が鼻から吸引すると、フィルターシートからなる本体部２ａを透過して、外気が鼻腔内に吸引される。これにより、空気中の異物を本体部２ａで捕集することができ、鼻腔内に侵入する異物を減らすことが可能となる。また挿入部２は、保持部３ｃによって抜けだし不能に保持されており、連結部３を引っ張ると、挿入部２を鼻腔内に残すことなく確実に取り出すことができるので、使い勝手を損なうことがない。
【００２２】
また図４に示すように、鼻栓１を鼻腔内に装着している際に外部から直接見える部分は、連結部３のうち、ブリッジ３ｂのみとなる。上述したようにブリッジ３ｂは細くなっているので目立ちにくくなっている。さらに、ブリッジ３ｂを肌に近い色で形成することで、より目立ちにくくすることができる。
【００２３】
また、挿入部２の内側空間Ｍに、図３で示したフィルター部材２ｃを設ける場合は、挿入部２のフィルターシートに加えて、フィルター部材２ｃでも空気中の異物を取り除くことができるので、捕集効果をより一層高めることができる。しかも、フィルター部材２ｃの弾性力により、鼻腔に対してより密着させることができるので、鼻腔内に安定して保持することができる。
【産業上の利用可能性】
【００２４】
本発明によれば、空気中に浮遊する埃や塵、花粉等の異物の吸入を抑制する鼻栓に関し、その鼻栓を鼻から取り外す際に、鼻栓の一部が鼻腔内に残ってしまうおそれがなく、使い勝手に優れる鼻栓を提供することができる。
【符号の説明】
【００２５】
１    鼻栓
２    挿入部
２ａ  本体部
２ａ１  根元壁部
２ｂ  フランジ部
２ｃ  フィルター部材
３    連結部
３ａ  棒状体
３ｂ  ブリッジ
３ｃ  保持部
【図１】
2012179121.tif 000003
【図２】
2012179121.tif 000004
【図３】
2012179121.tif 000005
【図４】
2012179121.tif 000006